(57)【要約】      （修正有）【課題】宝くじファンの希望に応える宝くじ抽選機器を提供する。【解決手段】ネット宝くじ抽選システム加盟の店舗で、買物をしたお客は、宝くじ抽選アプリ入力画面に各店舗のレジで精算後のレシートの合計額を入力画面の数桁の一桁ごとに入力して、完了ボタンを押すと宝くじ当選番号抽選画面に入る。当選番号抽選画面は、一桁の１円から数桁の桁を順番に０〜９の番号がパチンコゲームのスリーセブンのように不規則に選択されて一桁づつ、お客の操作で当選番号を決定していく。各桁の抽選当選番号と買物購入合計額の各桁が同数になったら当選となり、当選者送信ボタンを押すと、宝くじ抽選システムサーバの利用者当選データベースで保存管理される。又、利用者データベースは、利用者の利用店舗に日時、買物購入合計額の情報データをシステムサーバのプログラムで保存し、利用された企業や店舗等の確実な顧客売上実績が確認できるようにした。【選択図】図１
2015146172.tif 000002
【特許請求の範囲】
【請求項１】
ネット宝くじ抽選システムアプリは、お客様の各種スマホ・タブレット等の端末機器とネット網を介して接続される宝くじ抽選システムサーバです。ネット宝くじ抽選システム加盟の店舗で、お買物をしたお客様は、宝くじ抽選アプリ入力画面に各店舗のレジで精算後のレシートの合計額を  入力画面の数桁の一桁ごとに入力して、完了ボタンを押して頂きますと、宝くじ当選番号抽選画面に入ります。当選番号抽選画面は、一桁の１円から数桁の桁を順番に０〜９の番号がパチンコゲームのスリーセブンのように不規則に選択されて一桁づつ、お客様の操作で当選番号を決定していきます。
【請求項２】
各桁の抽選当選番号と買物購入合計額の各桁が同数になりましたら当選ですので、当選者送信ボタンを押すと、宝くじ抽選システムサーバの利用者当選データベースで保存管理されます。又、利用者データベースでは、利用者の利用店舗に日時、買物購入合計額の情報データをシステムサーバのプログラムで保存され、利用された企業や店舗等の確実な顧客売上実績が確認できるようにしたことを特徴とするネット宝くじ抽選システムです。
【発明の詳細な説明】
【発明の詳細な説明】
【技術分野】
【０００１】本発明は、お客様の各種端末機器とインターネット等のネット網を介してシステムサーバに、毎日のお買物のレジで精算されるレシート合計額の数字の入力とネット宝くじ当選番号抽選システムで当選賞品をスピーディに決定する宝くじ抽選システムアプリに関するもの。
【背景技術】
【０００２】従来の宝くじ抽選機器は、抽選箱の中に当たり玉（番号や色玉）とハズレ玉（番号や色玉）を適当数入れて、お客様の前で、抽選会を行い当選者に賞品をプレゼントするという方法でした。
【発明が解決しようとする課題】
【０００３】従来の宝くじ抽選機器は、町や村の商店会等の少人数のプレゼント催し物の抽選機器としては使用に問題が無いのですが、現在では全国規模のプレゼント抽選会となり、何十万人が一斉に抽選会を行なわなければならない状況になり、従来の抽選機器ではお客様である宝くじプレゼントファンのご希望に応えられなく催し物自体が衰退しています。
【課題を解決するための手段】
【０００４】上述の目的を達成するため、本発明のネット宝くじ抽選システムアプリは、お客様のスマホ・タブレット等の端末機器とネット網を介して接続されるシステムサーバに、お客様の端末機器を操作して、お買物のレジ精算後のレシートに記載されたお買物商品合計金額（消費税含む）を端末画面に入力し、完了ボタンを押すとサーバ内のデータ保存部の利用者データベースに自動的に保存され、同時にサーバ内のプログラム保存部の当選番号抽選システムプログラムで当選番号抽選画面が表示され、一桁の１円から数桁の桁までを順列に０〜９の番号が不規則に選択されて一桁づつ、お客様の操作で当選番号を決定していくネット宝くじ抽選システムアプリです。
【０００５】宝くじプレゼントに参加されるお客様は、ネットの宝くじ抽選アプリに  名前、住所、連絡先で会員登録を行う。宝くじプレゼントに参加される企業、店舗、団体は  所定の条件を満たし、「ネット宝くじ抽選アプリ」加盟手続きを行ないます。
【０００６】宝くじプレゼント参加の企業、店舗、団体での、お買物をしたお客様は、宝くじ抽選アプリ入力画面に  レジで精算後のレシートの合計額を  数桁の一桁ごとに入力して頂きます。
【０００７】入力後に完了ボタンを押すと、宝くじ当選番号抽選画面に入ります。宝くじ当選番号ネット抽選システムは、一桁の１円から数桁の桁までを順列に０〜９の番号が不規則に選択されて当選番号を決定します。お客様の買物額に合わせて下数桁から下一桁までを順番にお客様の操作で当選番号を決定します。
【０００８】各桁の抽選番号と買物合計額の各桁が同数になりましたら当選ですので当選者送信ボタンを押して頂きシステムサーバの利用者当選データベースで保存管理されます。
【０００９】利用者データベースでは、利用者の利用店舗に日時、買物合計額の情報リストをシステムサーバのプログラムで保存されますので、利用された企業や店舗の確実な顧客売上実績が確認できます。
【００１０】当選者へ賞品をお渡しする際には、上記の利用店舗、日時の記載されたお買物の合計額レシートを持参頂きます。（消費税含む合計額レシート提出をお願い致します）
【発明を実施するための形態】
【００１１】本発明の実施の形態の宝くじ抽選システムアプリについて、図に基づいて説明をします。この実施の形態で示す宝くじ抽選システムは、毎日、スーパーやコンビニで買物をされる主婦や若者の皆さんを対象としていますが、家電量販店やホームセンターなど男女のあらゆる買物の宝くじプレゼント差別化イベントとして適用することができる。
【００１２】この宝くじ抽選システムを構成するハードウェアは、図１に示すように、１のお客様用端末機器の２のスマホ、ケータイで  ３のインターネットを介して４の宝くじ抽選システムサーバに接続される。
【００１３】お客様の２のスマホの宝くじプレゼント入力表示画面７に  レシート買物合計金額欄８にお買物合計額を桁ごとに入力します。又、お買物日時・利用店舗・会員登録番号を必ず入力します。終わりましたら９の完了ボタンを押して、１０の当選番号抽選表示画面を表示します。
【００１４】お客様は  １１の当選番号表示画面の下部１２の各桁の抽選開始／停止ボタンを押し、再度開始／停止ボタンを押して、当選番号を決定します。
【００１５】お客様は  各桁の当選番号が決まり当選されましたら  画面表示の１３送信ボタンを押しますと、宝くじ抽選システムサーバの５のデータ保存部で管理されます。
【００１６】当選者には、ネット宝くじプレゼント実行委員会から賞品を提供いたします。
【発明の効果】
【００１７】本発明は、競合業種の差別化通信アプリです。現在のビジネス状況は  コンビニ、スーパー、家電量販店、カラオケ店、飲食店など  ５００ｍも歩けばライバル店が熾烈な顧客の奪い合いを展開しています。そこで  本発明は、顧客が最も喜ぶ賞品を顧客の金銭的な負担なしで獲得できる「ネット宝くじ抽選システムアプリ」を提案致します。競合ライバル会社には、今現在存在しない集客システムは  ビジネスの差別化通信アプリ商品として  非常に興味を持たれる発明だと思います。
【図面の簡単な説明】
【図１】本発明の実施の形態のネット宝くじ抽選システムアプリのハードウェア構成を説明するための図である。
【図２】お客様の端末機に表示される買物情報入力表示画面です。
【図３】お客様の端末機に表示される当選番号抽選表示画面です。
【符号の説明】１  お客様の各種端末機器
２  お客様の端末機器
３  インターネット（ネット網）
４  ネット宝くじ抽選システムサーバ
５  システムサーバのデータ保存部
６  システムサーバのプログラム保存部
７  お客様の端末機器の買物情報入力画面
８  お客様が入力する買物額の桁の欄
９  完了ボタン
１０  お客様の端末機器の当選番号抽選表示画面
１１  当選番号表示欄
１２  お客様が行う各桁の開始、停止ボタン
１３  当選者送信ボタン
【図１】
2015146172.tif 000003
【図２】
2015146172.tif 000004
【図３】
2015146172.tif 000005
【手続補正書】
【提出日】平成26年4月25日(2014.4.25)
【手続補正４】
【補正対象書類名】特許請求の範囲
【補正対象項目名】請求項１
【補正方法】変更
【補正の内容】
【請求項１】
ネット宝くじ抽選システムアプリは、お客様の各種スマホ・タブレット等の端末機器とネット網を介して接続される宝くじ抽選システムサーバです。ネット宝くじ抽選システム加盟の店舗で、お買物をしたお客様は、各店舗のレジで精算後のレシートの情報を各自の端末機の宝くじ抽選アプリの入力画面に入力する。入力方法は、ボタンタッチやスキャナーでの読み込みやカメラでの読み込みや音声での入力など、その他の方法で入力する。入力が完了しましたら、完了ボタンを押して頂きますと、宝くじ当選番号抽選画面に入ります。当選番号抽選画面は、一桁の１円から数桁の桁を順番に０〜９の番号が不規則に選択されて一桁づつ、お客様の操作、又は自動的に当選番号が決定していくネット宝くじ抽選システムです。